(57)【要約】【課題】安全確実に多人数の避難者をビル屋上から地上に避難させることのできる、ケージ方式の昇降装置を提供する。【解決手段】建築物の屋上に設置される、ケージを有する火災避難用の装置において、ケージの水平移動手段および垂直移動手段を設けたことを特徴とする。【選択図】      図１９
2005305076.tif 000002
【特許請求の範囲】
【請求項１】
建築物の屋上に設置される、ゴンドラを有する災害避難用の装置において、ゴンドラの水平移動手段および垂直移動手段を設けたことを特徴とする災害避難用昇降装置。
【発明の詳細な説明】
【技術分野】
【０００１】  この発明は、災害避難とくにビル火災時の避難に有効なる昇降装置に関する。
【背景技術】
【０００２】  従来より、ビル火災時の避難手段としては備え付けの縄ばしごを利用するかあるいは梯子車を利用するのが一般的であり、本発明にて示すように、ビル建物の屋上に設置するゴンドラ移動方式の避難装置は現在のところ見当たらない。
【発明の開示】
【発明が解決しようとする課題】
【０００３】  前記のように、ビル火災時の避難手段としては縄ばしごや梯子車利用がある。
しかし、前者の縄ばしごはビル外壁に垂らして利用するため恐怖感を伴い、安全性に欠け、高層ビルには不適当である。後者の梯子車は、連絡にて消防署から現地に出向いて利用するものであるが、搭乗スペースが狭く一度に２〜３人しか乗れず、３０階以上のビルではブームが届かず、救助が不可能である。さらに梯子車のゴンドラに乗るときは建物の外へ身を乗り出すため、恐怖感を伴い、子供やお年寄りなどは利用しにくい。
高層ビル火災ではビル内から出火することが多く、ビル内エレベーターは停止状態となり、火と煙で人は下へ降りることができずに上階へと向かい、屋上へ避難することとなるが、屋上からの避難手段はヘリコプター以外にはなく、すべてのビルがこの状況に適しているわけでもなく、また救出までに多時間を要することも考えられる。
本発明は以上記した従来からのビル火災時における避難手段に関わる課題を解決するために発明されたもので、ビル建物屋上に昇降移動するゴンドラを設けることにより、屋上の避難者を安全かつすみやかに救助することのできる新規かつ有効なる装置を提供することを目的としたものである。
【課題を解決するための手段】
【０００４】  課題を解決する手段として本発明は、ゴンドラの水平移動手段および垂直移動手段を設けてその主要部を構成した。
すなわち、建築物の屋上に設置される、ゴンドラを有する災害避難用の装置において、ゴンドラの水平移動手段および垂直移動手段を設ける。
本発明は以上の構成よりなる災害避難用昇降装置である。
【発明の効果】
【０００５】  本発明は下記の効果を有する。
１．ゴンドラに乗り込んで移動するので、恐怖心なく安全・確実に避難することができる。
２．ゴンドラサイズを適宜に設定することで、一度に多人数を収容・避難させることができる。
３．ケーブル吊り下げ方式のゴンドラにて移動するので、多数階を有する高層建築物でも利用可能である。
４．ゴンドラ内での操作にてゴンドラ移動を無線方式で行うことができ、専用の操作員が不要である。
５．モーター制御回路を設けることで、ゴンドラ移動速度を制御することができる。
６．ゴンドラのビル壁面への衝突を緩和する装置を設けることで、降下中の安全性を高めることができる。
【発明を実施するための最良の形態】
【０００６】  以下、本発明の実施形態について説明する。
図において、１は外枠で、鉄骨材にて形成され、ビル屋上面に立設固定される。
この外枠はビル屋上面に立設される６本の支柱２の上部に、各支柱を接続する横柱３を有している。なお、支柱下部はビル屋上面表面より下方に埋没する。
４は鉄骨材にて四角枠状に形成したスライドフレーム、５はスライドフレーム上面に固着される細長枠状の上部フレームである。スライドフレーム前部両端および後部両端には断面コ字形のローラー保持体６が固着され、このローラー保持体内にはベアリングを内蔵した適宜支持部材にて、鍔部を有する正面視略Ｈ字形のガイドローラー７が回動自在に軸支される。８はモーター箱で、減速機構付のモーターが内蔵され、その出力軸がローラーと一体化している軸に接続されている。なお、このモーター箱は、スライドフレームの前部両端位置に配備される。
９はレールステーで、前部の支柱側面および後部支柱側面に突設され、このレールステー上面に角柱状鋼材によるガイドレール１０が固着される。そしてこのガイドレールに前記のガイドローラーが噛み合って位置している。従って、スライドフレームはこのガイドレールに沿って前後にスライド移動が可能である。【０００７】  １１は保護枠で、外枠の前端から後端にわたって横柱下面に固着される鋼材であり、その下面はスライドフレーム上面よりわずかに上方に位置し、また該保護枠前端下面には小直方体形状のストッパー１２が固着される。この保護枠にてスライドフレーム移動中の浮き上がりを防止し、またストッパーにてスライドフレーム前方移動時におけるレールからの脱落を防止することができる。
１３は上部フレーム前端下面に設けられるプーリー保持体で、断面コ字形を有し、その内部にプーリー１４が、ベアリングを内蔵した適宜支持部材にて軸支される。
１５はスライドフレーム前後と後部の上方に穿設される貫通孔である。
１６は保護枠後端間に設けられる保持柱で、その下面適所には前記のプーリー保持体が取り付けられる。１７はゴンドラで、ロック機構付のスライドドア１８を有する防火断熱構造の箱体である。このゴンドラ内には無線発信機能を有するとともにバッテリーを備えたコントロールボックス１９が設けられ、またゴンドラ下面には、クッション体２０が設けられる。このクッション体は、柔軟性素材による中空袋体であり、その内部上方から下方に向けて複数本の圧縮コイルスプリングが設けられる。
２１は角棒状中空体によるアームで、その先端は二股に分かれ、ここに軟質合成樹脂によるローラー２２が軸支され、アーム下端は適宜支持部材にてゴンドラ側面下方に軸支される。【０００８】  ２３はワイヤーロープで、ゴンドラ側面とアーム側面間に支持部材を介して位置している。２４は伸縮筒体で、大径と小径の２種の筒体をスライド可能に組み合わせるとともに、その内部に圧縮コイルスプリング２５を固着内蔵したものであり、外圧にてこの伸縮筒体は所定範囲内にて伸縮可能である。この伸縮筒体は、ゴンドラ側面とアーム側面間に、ワイヤーロープ取り付け位置のやや上方に位置し、支持部材を介して位置している。
従って、アーム可動範囲はワイヤーロープ長にて規制され、かつアーム移動には伸縮筒体内のコイルスプリングの押圧に打ち勝つ必要がある。なお、以上のアームおよびアーム関連部材はゴンドラの両端面近傍側面に各々設けられる。
２６は外枠後端近傍のビル上面に設けられるウインチ箱である。
このウインチ箱内には中央に減速機構付の両軸モーター２７が設置され、その両側にベアリングを内蔵した支持部材にてドラム２８が同軸に接続される。また、ウインチ箱内適所には、無線受信機能を有するモーター制御回路を内蔵した制御箱２９が設けられ、ウインチ箱上部２個所には孔が穿設される。３０はケーブルで、ステンレス線をより合わせて形成され、その一端は前記ドラムの胴に固定され、ドラムに巻回された後にウインチ箱上部の孔より上方に立ち上がり、前後４個のプーリー保持体内のプーリーを介して下方に向かい、ゴンドラ上面に支持金具を介して接続される。なお、ウインチ箱およびモーター箱には防災対策をなされたコード（図示略）にてＡＣ１００ボルトが供給され、ウインチ箱内のモーターとモーター箱内のモーターは制御箱内の制御回路にて制御される。
以上の構成から、ゴンドラの上下移動と前後移動が可能であるとともに、ゴンドラ内のコントロールボックスの操作にてゴンドラの移動制御を行うことができる。【０００９】  本発明を使用するには、まずゴンドラのスライドドアを手動にて開き、避難者が乗り込む。次ぎにドアを閉めてドアロックを行い、コントロールボックスのボタンを押すと、このコントロールボックス内から指令電波が発せられ、これをウインチ箱内の制御箱が受信し、モーター制御回路が働いてモーター駆動となる。このモーター駆動にてドラムが回転してケーブルを少し巻き上げ、ゴンドラは屋上面よりやや浮き上がった状態となる。
そしてモーター箱内のモーター駆動にてスライドフレームはガイドレールに沿って前方へと移動し、図５にて示すようにゴンドラはビル屋上面から外へ張り出した状態となる。
次ぎに制御回路からの指令にて再びドラムが回転してケーブルが動き、ゴンドラは降下を始める。地上近くになるとドラム降下速度が低下し、ゴンドラ下方のクッション体が地面に接する位置にてドラムは停止する。避難者はゴンドラのスライドドアロックを外し、ドアを開けて地上に降り立ち、安全な場所へと避難することができる。
ゴンドラ収容人数は２０〜３０人ほどであり、一度に多人数の避難が可能であるが、寄り多くの避難者の場合は、前述と逆のゴンドラ移動にてビル屋上にゴンドラを位置させ、既述の方法にて残った避難者を地上に移送することができる。【００１０】  なお、実施形態ではゴンドラ側面に一対のアームとローラーを備えている。
これはゴンドラ下降中に風などでゴンドラが揺れてビル壁面に衝突することを避けるために設けたものである。ゴンドラが揺れて壁面に衝突しようとすると、このアーム先端のローラーがビル壁面に接触するが、このアーム側面とゴンドラ側面間には、コイルスプリングを内蔵した伸縮筒体が位置しており、ゴンドラが壁面に近接しようとするとこの伸縮筒体が縮むこととなり、内蔵したスプリングの押圧力が働くため、ゴンドラを壁面から遠ざけようとする力が働き、ゴンドラ衝突を避けることができる。
なお、アームとゴンドラ側面間にはワイヤーロープが備えられているため、ゴンドラに対するアームの可動範囲を規定することができる。
以上が本発明の一実施形態である。
なお、既述の例ではビルと向かい合う面にスライドドアが設けられているが、反対方向に設けてもよい。また、ゴンドラ吊り下げケーブルはステンレスワイヤーを用いているので、耐久性に富むものとなっている。ウインチ箱へはＡＣ１００ボルトがコードにて供給されているが、エンジン付きの発電機を設けてこの発電機にて電力供給する方式としてもよい。本発明では、ウインチ箱内の制御箱内に制御回路を設け、この回路にてゴンドラの移動とその速度、スライドフレームの移動とその速度を制御して、安全確実にゴンドラを地上に降ろすことができる。なお、ケーブル周囲にはプーリー保持体が存在するため、ケーブルのプーリーからの脱落を防止することができる。以上のごとく、本発明によってビル火災時に、安全に避難することのできる有用なる装置を得ることができる。
【図面の簡単な説明】
【００１１】
【図１】  本発明の平面図
【図２】  本発明の正面図
【図３】  本発明の背面図（ゴンドラ部分省略）
【図４】  本発明の右側面図
【図５】  本発明の右側面図（ゴンドラ張り出し状態）
【図６】  本発明の要部構造説明図（プーリー関連）
【図７】  本発明の要部構造説明図（ガイドローラー関連）
【図８】  本発明のウインチ箱内容説明図（一部略）
【図９】  本発明のアームの拡大平面図
【図１０】  本発明のアームの拡大正面図
【図１１】  本発明の伸縮筒体の拡大平面図
【図１２】  本発明の伸縮筒体の拡大正面図
【図１３】  本発明の伸縮筒体の内部状態説明図
【図１４】  本発明のゴンドラの拡大平面図
【図１５】  本発明のゴンドラの拡大正面図
【図１６】  本発明の要部構造説明図（アーム関連）
【図１７】  本発明の要部構造説明図（アーム関連）
【図１８】  本発明の使用状態説明図（側面視）
【図１９】  本発明の使用状態説明図（正面視）
【符号の説明】
【００１２】１  外枠
２  支柱
３  横柱
４  スライドフレーム
５  上部フレーム
６  ローラー保持体
７  ガイドローラー
８  モーター箱
９  レールステー
１０ガイドレール
１１保護枠
１２ストッパー
１３プーリー保持体
１４プーリー
１５貫通孔
１６保持柱
１７ゴンドラ
１８スライドドア
１９コントロールボックス
２０クッション体
２１アーム
２２ローラー
２３ワイヤーロープ
２４伸縮筒体
２５圧縮コイルスプリング
２６ウインチ箱
２７両軸モーター
２８ドラム
２９制御箱
３０ケーブル
【図１】
2005305076.tif 000003
【図２】
2005305076.tif 000004
【図３】
2005305076.tif 000005
【図４】
2005305076.tif 000006
【図５】
2005305076.tif 000007
【図６】
2005305076.tif 000008
【図７】
2005305076.tif 000009
【図８】
2005305076.tif 000010
【図９】
2005305076.tif 000011
【図１０】
2005305076.tif 000012
【図１１】
2005305076.tif 000013
【図１２】
2005305076.tif 000014
【図１３】
2005305076.tif 000015
【図１４】
2005305076.tif 000016
【図１５】
2005305076.tif 000017
【図１６】
2005305076.tif 000018
【図１７】
2005305076.tif 000019
【図１８】
2005305076.tif 000020
【図１９】
2005305076.tif 000021
【手続補正書】
【提出日】平成16年10月8日(2004.10.8)
【手続補正１】
【補正対象書類名】特許請求の範囲
【補正対象項目名】全文
【補正方法】変更
【補正の内容】
【特許請求の範囲】
【請求項１】
建築物の屋上に設置される、ケージを有する火災避難用の装置において、ケージの水平移動手段および垂直移動手段を設けたことを特徴とする火災避難用昇降装置。
【手続補正２】
【補正対象書類名】明細書
【補正対象項目名】全文
【補正方法】変更
【補正の内容】
【発明の詳細な説明】
【技術分野】
【０００１】  この発明は、火災避難とくにビル火災時の避難に有効なる昇降装置に関する。
【背景技術】
【０００２】  従来より、ビル火災時の避難手段としては備え付けの縄ばしごを利用するかあるいは梯子車を利用するのが一般的であり、本発明にて示すように、ビル建物の屋上に設置するケージ移動方式の避難装置は現在のところ見当たらない。
【発明の開示】
【発明が解決しようとする課題】
【０００３】  前記のように、ビル火災時の避難手段としては縄ばしごや梯子車利用がある。
しかし、前者の縄ばしごはビル外壁に垂らして利用するため恐怖感を伴い、安全性に欠け、高層ビルには不適当である。後者の梯子車は、連絡にて消防署から現地に出向いて利用するものであるが、搭乗スペースが狭く一度に２〜３人しか乗れず、３０階以上のビルではブームが届かず、救助が不可能である。さらに梯子車の昇降部分に乗るときは建物の外へ身を乗り出すため、恐怖感を伴い、子供やお年寄りなどは利用しにくい。
高層ビル火災ではビル内から出火することが多く、ビル内エレベーターは停止状態となり、火と煙で人は下へ降りることができずに上階へと向かい、屋上へ避難することとなるが、屋上からの避難手段はヘリコプター以外にはなく、すべてのビルがこの状況に適しているわけでもなく、また救出までに多時間を要することも考えられる。
本発明は以上記した従来からのビル火災時における避難手段に関わる課題を解決するために発明されたもので、ビル建物屋上に昇降移動するケージを設けることにより、屋上の避難者を安全かつすみやかに救助することのできる新規かつ有効なる装置を提供することを目的としたものである。
【課題を解決するための手段】
【０００４】  課題を解決する手段として本発明は、ケージの水平移動手段および垂直移動手段を設けてその主要部を構成した。
すなわち、建築物の屋上に設置される、ケージを有する火災避難用の装置において、ケージの水平移動手段および垂直移動手段を設ける。
本発明は以上の構成よりなる火災避難用昇降装置である。
【発明の効果】
【０００５】  本発明は下記の効果を有する。
１．ケージに乗り込んで移動するので、恐怖心なく安全・確実に避難することができる。
２．ケージサイズを適宜に設定することで、一度に多人数を収容・避難させることができ  る。
３．ケーブル吊り下げ方式のケージにて移動するので、多数階を有する高層建築物でも利  用可能である。
４．ケージ内での操作にてケージ移動を無線方式で行うことができ、専用の操作員が不要  である。
５．モーター制御回路を設けることで、ケージ移動速度を制御することができる。
６．ケージのビル壁面への衝突を緩和する装置を設けることで、降下中の安全性を高める  ことができる。
【発明を実施するための最良の形態】
【０００６】  以下、本発明の実施形態について説明する。
図において、１は外枠で、鉄骨材にて形成され、ビル屋上面に立設固定される。
この外枠はビル屋上面に立設される６本の支柱２の上部に、各支柱を接続する横柱３を有している。なお、支柱下部はビル屋上面表面より下方に埋没する。
４は鉄骨材にて四角枠状に形成したスライドフレーム、５はスライドフレーム上面に固着される細長枠状の上部フレームである。スライドフレーム前部両端および後部両端には断面コ字形のローラー保持体６が固着され、このローラー保持体内にはベアリングを内蔵した適宜支持部材にて、鍔部を有する正面視略Ｈ字形のガイドローラー７が回動自在に軸支される。８はモーター箱で、減速機構付のモーターが内蔵され、その出力軸がローラーと一体化している軸に接続されている。なお、このモーター箱は、スライドフレームの前部両端位置に配備される。
９はレールステーで、前部の支柱側面および後部支柱側面に突設され、このレールステー上面に角柱状鋼材によるガイドレール１０が固着される。そしてこのガイドレールに前記のガイドローラーが噛み合って位置している。従って、スライドフレームはこのガイドレールに沿って前後にスライド移動が可能である。【０００７】  １１は保護枠で、外枠の前端から後端にわたって横柱下面に固着される鋼材であり、その下面はスライドフレーム上面よりわずかに上方に位置し、また該保護枠前端下面には小直方体形状のストッパー１２が固着される。この保護枠にてスライドフレーム移動中の浮き上がりを防止し、またストッパーにてスライドフレーム前方移動時におけるレールからの脱落を防止することができる。
１３は上部フレーム前端下面に設けられるプーリー保持体で、断面コ字形を有し、その内部にプーリー１４が、ベアリングを内蔵した適宜支持部材にて軸支される。
１５はスライドフレーム前後と後部の上方に穿設される貫通孔である。
１６は保護枠後端間に設けられる保持柱で、その下面適所には前記のプーリー保持体が取り付けられる。１７はケージで、ロック機構付のスライドドア１８を有する防火断熱構造の箱体である。このケージ内には無線発信機能を有するとともにバッテリーを備えたコントロールボックス１９が設けられ、またケージ下面には、クッション体２０が設けられる。このクッション体は、柔軟性素材による中空袋体であり、その内部上方から下方に向けて複数本の圧縮コイルスプリングが設けられる。
２１は角棒状中空体によるアームで、その先端は二股に分かれ、ここに軟質合成樹脂によるローラー２２が軸支され、アーム下端は適宜支持部材にてケージ側面下方に軸支される。【０００８】  ２３はワイヤーロープで、ケージ側面とアーム側面間に支持部材を介して位置している。２４は伸縮筒体で、大径と小径の２種の筒体をスライド可能に組み合わせるとともに、その内部に圧縮コイルスプリング２５を固着内蔵したものであり、外圧にてこの伸縮筒体は所定範囲内にて伸縮可能である。この伸縮筒体は、ケージ側面とアーム側面間に、ワイヤーロープ取り付け位置のやや上方に位置し、支持部材を介して位置している。
従って、アーム可動範囲はワイヤーロープ長にて規制され、かつアーム移動には伸縮筒体内のコイルスプリングの押圧に打ち勝つ必要がある。なお、以上のアームおよびアーム関連部材はケージの両端面近傍側面に各々設けられる。
２６は外枠後端近傍のビル上面に設けられるウインチ箱である。
このウインチ箱内には中央に減速機構付の両軸モーター２７が設置され、その両側にベアリングを内蔵した支持部材にてドラム２８が同軸に接続される。また、ウインチ箱内適所には、無線受信機能を有するモーター制御回路を内蔵した制御箱２９が設けられ、ウインチ箱上部２個所には孔が穿設される。３０はケーブルで、ステンレス線をより合わせて形成され、その一端は前記ドラムの胴に固定され、ドラムに巻回された後にウインチ箱上部の孔より上方に立ち上がり、前後４個のプーリー保持体内のプーリーを介して下方に向かい、ケージ上面に支持金具を介して接続される。なお、ウインチ箱およびモーター箱には防火対策をなされたコード（図示略）にてＡＣ１００ボルトが供給され、ウインチ箱内のモーターとモーター箱内のモーターは制御箱内の制御回路にて制御される。
以上の構成から、ケージの上下移動と前後移動が可能であるとともに、ケージ内のコントロールボックスの操作にてケージの移動制御を行うことができる。【０００９】  本発明を使用するには、まずケージのスライドドアを手動にて開き、避難者が乗り込む。次ぎにドアを閉めてドアロックを行い、コントロールボックスのボタンを押すと、このコントロールボックス内から指令電波が発せられ、これをウインチ箱内の制御箱が受信し、モーター制御回路が働いてモーター駆動となる。このモーター駆動にてドラムが回転してケーブルを少し巻き上げ、ケージは屋上面よりやや浮き上がった状態となる。
そしてモーター箱内のモーター駆動にてスライドフレームはガイドレールに沿って前方へと移動し、図５にて示すようにケージはビル屋上面から外へ張り出した状態となる。
次ぎに制御回路からの指令にて再びドラムが回転してケーブルが動き、ケージは降下を始める。地上近くになるとドラム降下速度が低下し、ケージ下方のクッション体が地面に接する位置にてドラムは停止する。避難者はケージのスライドドアロックを外し、ドアを開けて地上に降り立ち、安全な場所へと避難することができる。
ケージ収容人数は２０〜３０人ほどであり、一度に多人数の避難が可能であるが、寄り多くの避難者の場合は、前述と逆のケージ移動にてビル屋上にケージを位置させ、既述の方法にて残った避難者を地上に移送することができる。【００１０】  なお、実施形態ではケージ側面に一対のアームとローラーを備えている。
これはケージ下降中に風などでケージが揺れてビル壁面に衝突することを避けるために設けたものである。ケージが揺れて壁面に衝突しようとすると、このアーム先端のローラーがビル壁面に接触するが、このアーム側面とケージ側面間には、コイルスプリングを内蔵した伸縮筒体が位置しており、ケージが壁面に近接しようとするとこの伸縮筒体が縮むこととなり、内蔵したスプリングの押圧力が働くため、ケージを壁面から遠ざけようとする力が働き、ケージ衝突を避けることができる。
なお、アームとケージ側面間にはワイヤーロープが備えられているため、ケージに対するアームの可動範囲を規定することができる。
以上が本発明の一実施形態である。
なお、既述の例ではビルと向かい合う面にスライドドアが設けられているが、反対方向に設けてもよい。また、ケージ吊り下げケーブルはステンレスワイヤーを用いているので、耐久性に富むものとなっている。ウインチ箱へはＡＣ１００ボルトがコードにて供給されているが、エンジン付きの発電機を設けてこの発電機にて電力供給する方式としてもよい。本発明では、ウインチ箱内の制御箱内に制御回路を設け、この回路にてケージの移動とその速度、スライドフレームの移動とその速度を制御して、安全確実にケージを地上に降ろすことができる。なお、ケーブル周囲にはプーリー保持体が存在するため、ケーブルのプーリーからの脱落を防止することができる。以上のごとく、本発明によってビル火災時に、安全に避難することのできる有用なる装置を得ることができる。
【図面の簡単な説明】
【００１１】
【図１】本発明の平面図
【図２】本発明の正面図
【図３】本発明の背面図（ケージ部分省略）
【図４】本発明の右側面図
【図５】本発明の右側面図（ケージ張り出し状態）
【図６】本発明の要部構造説明図（プーリー関連）
【図７】本発明の要部構造説明図（ガイドローラー関連）
【図８】本発明のウインチ箱内容説明図（一部略）
【図９】本発明のアームの拡大平面図
【図１０】本発明のアームの拡大正面図
【図１１】本発明の伸縮筒体の拡大平面図
【図１２】本発明の伸縮筒体の拡大正面図
【図１３】本発明の伸縮筒体の内部状態説明図
【図１４】本発明のケージの拡大平面図
【図１５】本発明のケージの拡大正面図
【図１６】本発明の要部構造説明図（アーム関連）
【図１７】本発明の要部構造説明図（アーム関連）
【図１８】本発明の使用状態説明図（側面視）
【図１９】本発明の使用状態説明図（正面視）
【符号の説明】
【００１２】１  外枠
２  支柱
３  横柱
４  スライドフレーム
５  上部フレーム
６  ローラー保持体
７  ガイドローラー
８  モーター箱
９  レールステー
１０ガイドレール
１１保護枠
１２ストッパー
１３プーリー保持体
１４プーリー
１５貫通孔
１６保持柱
１７ケージ
１８スライドドア
１９コントロールボックス
２０クッション体
２１アーム
２２ローラー
２３ワイヤーロープ
２４伸縮筒体
２５圧縮コイルスプリング
２６ウインチ箱
２７両軸モーター
２８ドラム
２９制御箱
３０ケーブル